(57)【要約】【課題】発信者が着信者が着信通知を受ける際の状況を配慮した通話発信を行うことができる送信端末を提供する。【解決手段】通信回線１３０を介して受信端末１２０との通話を行う送信端末１１０であって、通話を行う通話回線を確立する通話発呼を行う前に、通話発呼の予備的な通知を示す予兆通知を受信端末１２０に対して行う予兆通知部と、予兆通知から通話発呼を行うまでの時間を示す予兆時間を設定する予兆情報設定部１１８と、予兆通知後に経過した時間を監視し、予兆時間が経過したか否かを判定する制御部１１１と、制御部１１１によって予兆時間が経過したと判定された場合、通話発呼を行う通話発呼部とを有する。【選択図】図１
2007281606.tif 000002
【特許請求の範囲】
【請求項１】
通信回線を介して受信端末との通話を行う送信端末であって、
前記通話を行う通話回線を確立する通話発呼を行う前もしくは同時、あるいは発呼中に、前記通話発呼の予備的な通知を示す予兆通知を前記受信端末に対して行う予兆通知部と、
前記予兆通知から前記通話発呼を行うまでの時間を示す予兆時間を設定する予兆時間設定部と、
前記予兆通知後に経過した時間を監視し、前記予兆時間が経過したか否かを判定する制御部と、
前記制御部によって前記予兆時間が経過したと判定された場合、前記通話発呼を行う通話発呼部と
を有する送信端末。
【請求項２】
請求項１に記載の送信端末であって、
前記通信回線は第１の通信回線および第２の通信回線を有し、
前記予兆通知部は、
前記第１の通信回線を介してＳＭＳ（Ｓｈｏｒｔ  Ｍｅｓｓａｇｅ  Ｓｅｒｖｉｃｅ）を利用することで前記予兆通知を行い、
前記通話発呼部は、
前記第２の通信回線を介して前記通話発呼を行う送信端末。
【請求項３】
請求項１に記載の送信端末であって、
前記予兆通知部は、
前記通信回線を介してＩＰパケットを利用することで前記予兆通知を行う送信端末。
【請求項４】
請求項１ないし３のいずれか１項に記載の送信端末であって、
前記予兆通知部は、
前記通話の緊急度を有する緊急情報を含めて前記予兆通知を行う送信端末。
【請求項５】
請求項１ないし３のいずれか１項に記載の送信端末であって、
前記通話発呼部は、
前記通話の緊急度を有する緊急情報を含めて前記通話発呼を行う送信端末。
【請求項６】
通信回線を介して送信端末と受信端末との間で通話を行う通信システムであって、
前記送信端末は、
前記通話を行う通話回線を確立する通話発呼を行う前もしくは同時、あるいは発呼中に、前記通話発呼の予備的な通知を示す予兆通知を前記受信端末に対して行う予兆通知部と、
前記予兆通知から前記通話発呼を行うまでの時間を示す予兆時間を含む予兆完了情報を前記受信端末から受信する予兆完了情報受信部と、
前記予兆通知後に経過した時間を監視し、前記予兆時間が経過したか否かを判定する制御部と、
前記制御部によって前記予兆時間が経過したと判定された場合、前記通話発呼を行う通話発呼部と
を有し、
前記受信端末は、
前記予兆通知を前記送信端末から受信する予兆通知受信部と、
前記予兆時間を設定する予兆時間設定部と、
前記予兆通知受信部によって前記予兆通知を受信した後、前記予兆完了情報を前記送信端末へ送信する予兆完了情報送信部と、
前記通話発呼を前記送信端末から着呼し、前記通話回線を確立する通話回線確立部と
を有する通信システム。
【請求項７】
請求項６に記載の通信システムであって、
前記通信回線は第１の通信回線および第２の通信回線を有し、
前記予兆通知部は、
前記第１の通信回線を介してＳＭＳ（Ｓｈｏｒｔ  Ｍｅｓｓａｇｅ  Ｓｅｒｖｉｃｅ）を利用することで前記予兆通知を行い、
前記予兆完了情報送信部は、
前記第１の通信回線を介してＳＭＳを利用することで前記予兆完了情報を送信し、
前記通話発呼部は、
前記第２の通信回線を介して前記通話発呼を行い、
前記通話回線確立部は、
前記第２の通信回線を介して前記通話発呼を着呼し、前記第２の通信回線を介して前記通話回線を確立する通信システム。
【請求項８】
請求項６に記載の通信システムであって、
前記予兆通知部は、
前記通信回線を介してＩＰパケットを利用することで前記予兆通知を行い、
前記予兆完了情報送信部は、
前記通信回線を介してＩＰパケットを利用することで前記予兆完了情報を送信する通信システム。
【請求項９】
請求項６ないし８のいずれか１項に記載の通信システムであって、
前記予兆通知部は、
前記通話の緊急度を有する緊急情報を含めて前記予兆通知を行う通信システム。
【請求項１０】
請求項６ないし８のいずれか１項に記載の通信システムであって、
前記通話発呼部は、
前記通話の緊急度を有する緊急情報を含めて前記通話発呼を行う通信システム。
【請求項１１】
請求項９または１０に記載の通信システムであって、
前記通話回線確立部は、
前記通話発呼を着呼した場合に前記通話発呼を着呼したことを示す通話着呼を提示し、
前記緊急情報に基づいて、前記通話着呼の提示方法を変更する提示方法変更部を有する通信システム。
【請求項１２】
請求項６ないし１１のいずれか１項に記載の通信システムであって、
前記予兆通知受信部によって前記予兆通知を受信し、かつ前記通話回線確立部によって前記通話回線を確立しなかった場合、前記予兆通知受信部が前記予兆通知を受信した日時を含む予兆通知情報を履歴として提示する履歴提示部
を有する通信システム。
【請求項１３】
通信回線を介して受信端末との通話が行われる送信端末の送信方法であって、
前記通話を行う通話回線を確立する通話発呼が行われる前に、前記通話発呼の予備的な通知を示す予兆通知が前記受信端末に対して行われるステップと、
前記予兆通知から前記通話発呼を行うまでの時間を示す予兆時間が設定されるステップと、
前記予兆通知後に経過した時間が監視され、前記予兆時間が経過したか否かが判定される制御ステップと、
前記制御ステップにおいて前記予兆時間が経過したと判定された場合、前記通話発呼が行われるステップと
を有する送信方法。
【請求項１４】
通信回線を介して送信端末と受信端末との間で通話が行われる通信方法であって、
前記送信端末によって前記通話を行う通話回線を確立する通話発呼が行われる前に、前記通話発呼の予備的な通知を示す予兆通知が前記送信端末から前記受信端末に対して行われるステップと、
前記予兆通知が前記受信端末によって前記送信端末から受信される予兆通知受信ステップと、
前記受信端末によって前記予兆通知から前記通話発呼を行うまでの時間を示す予兆時間が設定されるステップと、
前記予兆通知受信ステップにおいて前記受信端末によって前記予兆通知が受信された後、前記予兆時間を含む予兆完了情報が前記受信端末から前記送信端末へ送信されるステップと、
前記予兆完了情報が前記送信端末によって前記受信端末から受信されるステップと、
前記送信端末によって前記予兆通知後に経過した時間が監視され、前記予兆時間が経過したか否かが判定される制御ステップと、
前記制御ステップにおいて前記予兆時間が経過したと判定された場合、前記送信端末によって前記通話発呼が行われるステップと、
前記受信端末によって前記通話発呼が前記送信端末から着呼され、前記通話回線が確立されるステップと
を有する通信方法。
【発明の詳細な説明】
【技術分野】
【０００１】
本発明は、通信回線を介して受信端末との通話を行う送信端末、通信回線を介して送信端末と受信端末との間で通話を行う通信システム、通信回線を介して受信端末との通話が行われる送信端末の送信方法、および通信回線を介して送信端末と受信端末との間で通話が行われる通信方法に関する。
【背景技術】
【０００２】
従来から、携帯電話による通話において、発信者側の意思によって、その通話がどのくらい重要なものであるかを相手側の移動通信機のディスプレイなどに表示させることが行われている。例えば、従来の移動通信機においては、発信側の移動通信機により発信された発信の緊急度合いを示す緊急度情報に基づいて、着信側の移動通信機の表示手段に表示された画面内の表示状態を変化させ、着信側が未応答の際には所定時間後にアラームを発生する移動通信機が知られている（例えば、特許文献１参照）。
【特許文献１】特開２００２−２１８０２５号公報
【発明の開示】
【発明が解決しようとする課題】
【０００３】
しかしながら、上記のような移動通信機では、発信者の通話重要度を発信時に反映させて着信者へ通知することはできるが、この着信通知を受ける際に着信者がどのような状況にあるのかは考慮されていない。その結果、例えば着信者が着信通知を受けた時にちょうど重要な会議中であった場合などには、その着信が通話重要度の高いものであると、相手（発信者）を待たせているという意識が受信者に働くために焦って電話にでなければならない状態となってしまうため、結果的に発信者側が着信者側の状況を配慮した通話発信がなされてはいないという事情がった。
【０００４】
本発明は、上記事情を鑑みてなされたものであって、発信者が着信者が着信通知を受ける際の状況を配慮した通話発信を行うことができる送信端末、通信システム、送信方法、および通信方法を提供することを目的とする。
【課題を解決するための手段】
【０００５】
上記目的を達成するために、本発明の第１の送信端末は、通信回線を介して受信端末との通話を行う送信端末であって、前記通話を行う通話回線を確立する通話発呼を行う前もしくは同時、あるいは発呼中に、前記通話発呼の予備的な通知を示す予兆通知を前記受信端末に対して行う予兆通知部と、前記予兆通知から前記通話発呼を行うまでの時間を示す予兆時間を設定する予兆時間設定部と、前記予兆通知後に経過した時間を監視し、前記予兆時間が経過したか否かを判定する制御部と、前記制御部によって前記予兆時間が経過したと判定された場合、前記通話発呼を行う通話発呼部とを有する構成としている。
【０００６】
この構成により、発信者が着信者が着信通知を受ける際の状況を配慮した通話発信を行うことができる。具体的には、着信者側が着信を行う前に、これから発信者側が通話を行うために通話発呼を行うことを知らせることができ、着信者は落ち着いて着信に対しての対応を行うことができる。例えば、会議中であっても慌てることなく電話に出ることができるし、ドライブ中であっても少し車を停車させるなどの対応を相手を待たせているという意識なく落着いて電話にでることができる。また、ネットワーク側の特別な設定を行う必要がなくなる。
【０００７】
また、本発明の第２の送信端末は、前記通信回線は第１の通信回線および第２の通信回線を有し、前記予兆通知部が、前記第１の通信回線を介してＳＭＳ（Ｓｈｏｒｔ  Ｍｅｓｓａｇｅ  Ｓｅｒｖｉｃｅ）を利用することで前記予兆通知を行い、前記通話発呼部が、前記第２の通信回線を介して前記通話発呼を行う構成としている。
【０００８】
この構成により、予兆通知と実際の通話発呼との通信回線として別の通信回線を使用し、予兆通知に利用するＳＭＳが端末間同士で使用できる特殊なプロトコルであるために、発信者による予兆通知から遅延することなく着信者側で予兆通知を受信することができる。
【０００９】
また、本発明の第３の送信端末は、前記予兆通知部が、前記通信回線を介してＩＰパケットを利用することで前記予兆通知を行う構成としている。
【００１０】
この構成により、通信回線としてネットワーク回線を使用することができ、予兆通知と通話発呼とを1つの通信回線で実施することができる。
【００１１】
また、本発明の第４の送信端末は、前記予兆通知部が、前記通話の緊急度を有する緊急情報を含めて前記予兆通知を行う構成としている。
【００１２】
この構成により、予兆通知とあわせて実際の通話発呼を行う前に通話の緊急度などを知らせることができ、着信者側に対して通話着信に対する準備を行わせることができる。
【００１３】
また、本発明の第５の送信端末は、前記通話発呼部が、前記通話の緊急度を有する緊急情報を含めて前記通話発呼を行う構成としている。
【００１４】
この構成により、予兆通知とあわせて実際の通話発呼を行う際に通話の緊急度などを知らせることができ、着信者側に対して通話着信に対する準備を行わせることができる。
【００１５】
また、本発明の第１の通信システムは、通信回線を介して送信端末と受信端末との間で通話を行う通信システムであって、前記送信端末は、前記通話を行う通話回線を確立する通話発呼を行う前もしくは同時、あるいは発呼中に、前記通話発呼の予備的な通知を示す予兆通知を前記受信端末に対して行う予兆通知部と、前記予兆通知から前記通話発呼を行うまでの時間を示す予兆時間を含む予兆完了情報を前記受信端末から受信する予兆完了情報受信部と、前記予兆通知後に経過した時間を監視し、前記予兆時間が経過したか否かを判定する制御部と、前記制御部によって前記予兆時間が経過したと判定された場合、前記通話発呼を行う通話発呼部とを有し、前記受信端末は、前記予兆通知を前記送信端末から受信する予兆通知受信部と、前記予兆時間を設定する予兆時間設定部と、前記予兆通知受信部によって前記予兆通知を受信した後、前記予兆完了情報を前記送信端末へ送信する予兆完了情報送信部と、前記通話発呼を前記送信端末から着呼し、前記通話回線を確立する通話回線確立部とを有する構成としている。
【００１６】
この構成により、発信者が着信者が着信通知を受ける際の状況を配慮した通話発信を行うことができる。特に、予兆時間を着信者自身が設定することが可能であるため、着信者の都合を最大限に取り入れた通話着信を実現することができる。また、ネットワーク側の特別な設定を行う必要がなくなる。
【００１７】
また、本発明の第２の通信システムは、前記通信回線は第１の通信回線および第２の通信回線を有し、前記予兆通知部が、前記第１の通信回線を介してＳＭＳ（Ｓｈｏｒｔ  Ｍｅｓｓａｇｅ  Ｓｅｒｖｉｃｅ）を利用することで前記予兆通知を行い、前記予兆完了情報送信部が、前記第１の通信回線を介してＳＭＳを利用することで前記予兆完了情報を送信し、前記通話発呼部が、前記第２の通信回線を介して前記通話発呼を行い、前記通話回線確立部が、前記第２の通信回線を介して前記通話発呼を着呼し、前記第２の通信回線を介して前記通話回線を確立する構成としている。
【００１８】
この構成により、予兆通知と実際の通話発呼との通信回線として別の通信回線を使用し、予兆通知に利用するＳＭＳが端末間同士で使用できる特殊なプロトコルであるために、発信者による予兆通知から遅延することなく着信者側で予兆通知を受信することができる。
【００１９】
また、本発明の第３の通信システムは、前記予兆通知部が、前記通信回線を介してＩＰパケットを利用することで前記予兆通知を行い、前記予兆完了情報送信部が、前記通信回線を介してＩＰパケットを利用することで前記予兆完了情報を送信する構成としている。
【００２０】
この構成により、通信回線としてネットワーク回線を使用することができ、予兆通知と通話発呼とを1つの通信回線で実施することができる。
【００２１】
また、本発明の第４の通信システムは、前記予兆通知部が、前記通話の緊急度を有する緊急情報を含めて前記予兆通知を行う構成としている。
【００２２】
この構成により、予兆通知とあわせて実際の通話着信がある前に通話の緊急度などを予知することができ、着信側が通話着信に対する準備を行うことができる。
【００２３】
また、本発明の第５の通信システムは、前記通話発呼部が、前記通話の緊急度を有する緊急情報を含めて前記通話発呼を行う構成としている。
【００２４】
この構成により、予兆通知とあわせて実際の通話着信がある際に通話の緊急度を知ることができ、着信者側が通話着信に対する準備を行うことができる。
【００２５】
また、本発明の第６の通信システムは、前記通話回線確立部が、前記通話発呼を着呼した場合に前記通話発呼を着呼したことを示す通話着呼を提示し、前記緊急情報に基づいて、前記通話着呼の提示方法を変更する提示方法変更部を有する構成としている。
【００２６】
この構成により、着信者側において緊急度や緊急内容によって通話着信の通知方法を変更することで、その通話着信がどの程度の緊急度を有しているのかを即座に判断することができる。
【００２７】
また、本発明の第７の通信システムは、前記予兆通知受信部によって前記予兆通知を受信し、かつ前記通話回線確立部によって前記通話回線を確立しなかった場合、前記予兆通知受信部が前記予兆通知を受信した日時や緊急度や緊急内容を含む予兆通知情報を履歴として提示する履歴提示部を有する構成としている。
【００２８】
この構成により、着信者側が電話に出ることができなかった場合には、予兆通知を履歴として残すことが可能となる。
【００２９】
また、本発明の第１の送信方法は、通信回線を介して受信端末との通話が行われる送信端末の送信方法であって、前記通話を行う通話回線を確立する通話発呼が行われる前に、前記通話発呼の予備的な通知を示す予兆通知が前記受信端末に対して行われるステップと、前記予兆通知から前記通話発呼を行うまでの時間を示す予兆時間が設定されるステップと、前記予兆通知後に経過した時間が監視され、前記予兆時間が経過したか否かが判定される制御ステップと、前記制御ステップにおいて前記予兆時間が経過したと判定された場合、前記通話発呼が行われるステップとを有する方法としている。
【００３０】
この方法により、発信者が着信者が着信通知を受ける際の状況を配慮した通話発信を行うことができる。具体的には、着信者側が着信を行う前に、これから発信者側が通話を行うために通話発呼を行うことを知らせることができ、着信者は落ち着いて着信に対しての対応を行うことができる。例えば、会議中であっても慌てることなく電話に出ることができるし、ドライブ中であっても少し車を停車させるなどの対応を相手を待たせているという意識なく落着いて電話にでることができる。また、ネットワーク側の特別な設定を行う必要がなくなる。
【００３１】
また、本発明の第１の通信方法は、通信回線を介して送信端末と受信端末との間で通話が行われる通信方法であって、前記送信端末によって前記通話を行う通話回線を確立する通話発呼が行われる前に、前記通話発呼の予備的な通知を示す予兆通知が前記送信端末から前記受信端末に対して行われるステップと、前記予兆通知が前記受信端末によって前記送信端末から受信される予兆通知受信ステップと、前記受信端末によって前記予兆通知から前記通話発呼を行うまでの時間を示す予兆時間が設定されるステップと、前記予兆通知受信ステップにおいて前記受信端末によって前記予兆通知が受信された後、前記予兆時間を含む予兆完了情報が前記受信端末から前記送信端末へ送信されるステップと、前記予兆完了情報が前記送信端末によって前記受信端末から受信されるステップと、前記送信端末によって前記予兆通知後に経過した時間が監視され、前記予兆時間が経過したか否かが判定される制御ステップと、前記制御ステップにおいて前記予兆時間（ゼロもあり、その場合はただちに次のステップへ移行する）が経過したと判定された場合、前記送信端末によって前記通話発呼が行われるステップと、前記受信端末によって前記通話発呼が前記送信端末から着呼され、前記通話回線が確立されるステップとを有する方法としている。
【００３２】
この方法により、発信者が着信者が着信通知を受ける際の状況を配慮した通話発信を行うことができる。特に、予兆時間を着信者自身が設定することが可能であるため、着信者の都合を最大限に取り入れた通話着信を実現することができる。また、ネットワーク側の特別な設定を行う必要がなくなる。
【発明の効果】
【００３３】
本発明は、発信者が着信者が着信通知を受ける際の状況を配慮した通話発信を行うことができる送信端末、通信システム、送信方法、および通信方法を提供することができるものである。
【発明を実施するための最良の形態】
【００３４】
以下、本発明の第１の実施形態の通信システム１００について、図面を用いて説明する。
【００３５】
（第１の実施形態）
図１は本発明の第１の実施携帯における通信システム１００のブロック図である。通信システム１００は、送信端末１１０、受信端末１２０、通信回線１３０および通信回線１３０Ａを有する。送信端末１１０は、制御部１１１、記憶部１１２、操作部１１３、表示部１１４、発光体１１５、通信処理部１１６、アンテナ１１６Ａ、音声処理部１１７、マイク１１７Ａ、スピーカ１１７Ｂ、および予兆情報設定部１１８を有する。また、受信端末１２０は、制御部１２１、記憶部１２２、操作部１２３、表示部１２４、発光体１２５、通信処理部１２６、アンテナ１２６Ａ、音声処理部１２７、マイク１２７Ａ、スピーカ１２７Ｂを有する。
【００３６】
ここで、通信回線１３０、１３０Ａは通信回線の一例である。送信端末１１０は送信端末の一例である。受信端末１２０は受信端末の一例である。通信処理部１１６の一部は予兆通知部の一例である。予兆情報設定部１１８の一部は予兆時間設定部の一例である。制御部１１１の一部は制御部の一例である。通信処理部１１６の一部は通話発呼部の一例である。
【００３７】
本実施形態における通信システム１００では、送信端末１１０から受信端末１２０へ通信回線１３０を介してあらかじめ通話発呼前に通信回線１３０Ａを介して通話発呼をこれから行うことを予備的に知らせ、その後に実際の通話発呼による通話を行うことを想定している。ここで、この予備的な知らせを予兆通知とも呼ぶことにする。
【００３８】
本実施形態においては、予兆通知の手段としてＳＭＳ（Ｓｈｏｒｔ  Ｍｅｓｓａｇｅ  Ｓｅｒｖｉｃｅ）を利用することを想定している。ＳＭＳは一般的に、多くの携帯電話事業者が、他の事業者へのＳＭＳゲートウェイを持っており、外国の事業者も含めた他の事業者の携帯電話などの送信端末へもメッセージをやりとりできるようになっている。また、事業者によってはインターネットメールの送受信も可能なものである。本実施形態においては、上記のようなＳＭＳの中でも同じプロトコルではあるが特殊なＳＭＳを想定しており、この特殊ＳＭＳはＧＳＭ／３Ｇスペック規定のＳＭＳ  Ｄａｔａ  Ｃｏｄｉｎｇ  Ｓｃｈｅｍｅ（ＴＰ−ＤＣＳ）およびＳＭＳ  Ｈｅａｄｅｒ  ａｒｅａ（ＴＰ−ＵＤＨ）を使用することを想定している。ＳＭＳの受信は、端末においてはメールの受信として認識することもできる。
【００３９】
次に、上記に示した各構成部について説明する。
制御部１１１は、記憶部１１２、操作部１１３、表示部１１４、発光体１１５、通信処理部１１６、音声処理部１１７、および予兆情報設定部１１８を制御する。また、制御部１１１は、予兆情報設定部１７０が設定した後述の予兆時間に基づいて、予兆情報通知から予兆時間後に実際の通話発呼を行うように通信処理部１５０へ指示を行う。また、制御部１１１は、発光を行うように発光体１１５に指示を行う。
【００４０】
記憶部１１２は、通信端末内で使用するプログラムやアプリケーションを記憶するＲＯＭ（Ｒｅａｄ  Ｏｎｌｙ  Ｍｅｍｏｒｙ）やその他使用するデータを一時的に記憶するＲＡＭ（Ｒａｎｄｏｍ  Ａｃｃｅｓｓ  Ｍｅｍｏｒｙ）などを有する。このＲＡＭはバッテリバックアップされており、通信端末の電源がＯＦＦにされても記憶されたデータは残るようになっている。
【００４１】
操作部１１３は、電話番号等の入力を行うテンキー、各種ファンクションキーなどを有しており、各種操作を行う。表示部１１４は、液晶などの表示パネルや表示制御回路等から構成されており、各種表示を行う。発光体１１５は、制御部１１１の指示により様々な色の光を発色可能であり、例えばＬＥＤなどである。
【００４２】
通信処理部１１６は、アンテナ１１６Ａおよび通信回線１３０、１３０Ａを介して通信を送受信し、無線電話などの通信を行うための通信制御を行う。ここで行われる通信には、予兆通知や予兆通知の送信後に実際に行われる通話発呼および実際の通話などを含む。
【００４３】
音声処理部１１７は、通信回線１３０、１３０Ａを介して送受信された通信信号に含まれる音声や着信音などの音の処理を行う。音声処理部１１７への音声入力はマイク１１７Ａが行い、音声処理部１１７からの音声出力はスピーカ１１７Ｂが行う。
【００４４】
予兆情報設定部１１８は、通話を行うための通話発呼を行う際に予備的に通話発呼を予告する予兆情報を送信（予兆通知）してから実際の通話発呼を行うまでの時間を予兆時間として設定する。予兆時間は、記憶部１１２が一時的に保管する。これにより、予兆通知後通話発呼を行うまでの時間を送信端末１１０において設定することが可能であり、通話相手への配慮を持って通話発呼を行うことができる。また、予兆時間以外に予兆情報の設定も行うが、この予兆情報としては、単に通話発呼の予備的な通知としてフラグのような簡単なデータのみで構成してもよいし、発信者から着信者へ予兆通知時に伝えたい何らかのメッセージを含めてもよい。
【００４５】
次に、受信端末１２０の構成部に関して説明する。
基本的には記憶部１２２、操作部１２３、通信処理部１２６、アンテナ１２６Ａ、マイク１２７Ａ、およびスピーカ１２７Ｂは、記憶部１１２、操作部１１３、通信処理部１１６、アンテナ１１６Ａ、マイク１１７Ａ、およびスピーカ１１７Ｂと同様の機能を有するものとし、説明を省略する。その他の追加の機能を有するものに関しては、下記に説明を行う。
【００４６】
制御部１２１は、記憶部１２２、操作部１２３、表示部１２４、発光体１２５、通信処理部１２６、および音声処理部１２７を制御する。
【００４７】
表示部１２４は、表示部１１４の有する機能に加えて、通話発呼の着信時に通話を行うことができなかった場合に着信履歴として用件などを表示する。この着信履歴には、予兆通知を受信した日時や予兆通知の着信時に受信した予兆情報に含まれるメッセージから必要な情報を含ませることができる。
【００４８】
発光体１２５は、発光体１２５の有する機能に加えて、予兆通知を受信した場合や通話着信があった場合に様々な発色を行う。具体的には、例えば予兆情報を受信した際に送信端末１１０全体で発光するようにすることなどが考えられる。
【００４９】
音声処理部１２７は、音声処理部１１７の有する機能に加えて、予兆通知を受信した場合や通話着信があった場合に様々な音を発する。例えば予兆情報を受信した際に特殊な音を発することなどが考えられる。
【００５０】
ここで、上記の予兆情報の受信時に発する特殊な音としては、例えば飛行機内において乗客が客室乗務員を呼び出す場合に添えつけのボタンを押した時に使用されている「ポン」という音などが考えられる。この音は飛行機内のように外音が大きな場合にも確実に聞き取ることができ、しかも人間にとって心地良い音である。もし他の着信音では騒々しく感じてしまうような状況でマナーモードに設定していなければならない状況にあっても、このような心地良い音ならば許される可能性がある。
【００５１】
次に、通信回線１３０、１３０Ｂについて説明する。
通信回線１３０は、実際の通話発呼および通話を行う通信回線であり、例えば交換回線などである。通信回線１３０Ａは、予兆通知を行う通信回線であり、ＳＭＳを送受信する通信回線である。通信回線１３０、１３０Ａはともに、送信端末と受信端末とを接続している。このように、通話発呼および通話を行う通信回線と予兆通知を行う通信回線を別回線として設けることにより、予兆通知と通話発呼のタイミングを任意にずらすことが容易になる。
【００５２】
次に、通信システム１００の動作について説明する。
図２は本発明の第１の実施形態における通信システム１００の動作フロー図である。尚、発信者は送信端末１１０を所持し、着信者は受信端末１２０を所持しているものとする。
【００５３】
まず、発信者側において、予兆情報設定部１１８は予兆情報を設定し、この予兆情報をＳＭＳを使用することで予兆通知ＳＭＳとして通信処理部１１６が通信回線１３０Ａを介して着信者側へ送信する（ステップＳ２０１）。予兆情報には、発信者から着信者へ予兆通知時に知らせたいメッセージなどを含ませることができる。
【００５４】
次に、着信者側において、通信処理部１２６が予兆通知ＳＭＳを受信すると、表示部１２４が予兆通知ＳＭＳに含まれる情報を表示する（ステップＳ２０２）。また、表示とともに音声処理部１２７が着信音などの音を発するようにしてもよいし、発光体１２５が発光するようにしてもよい。ここでは、予兆通知ＳＭＳはメール着信となる。
【００５５】
予兆通知ＳＭＳを送信後、発信者側においては、予兆通知ＳＭＳを送信してから予兆時間が経過するまで実際の通話発呼を待機し、制御部１１１が予兆時間経過したと判断すると、通信処理部１１６が実際の通話発呼を行う（ステップＳ２０３）。
【００５６】
受信者側においては、この通話発呼を通信処理部１２６は通話着信として受信し（ステップＳ２０４）、操作部１２３は予兆通知ＳＭＳの内容に応じた受話操作を行うことで（ステップＳ２０５）、通信処理部１２６によって通話用回線が通信回線１３０を介して確立され、発信者と着信者との間で通話を行うことが可能となる（ステップＳ２０６）。
予兆通知SMSの内容に応じた受話操作の具体例として、
（ａ）予兆通知SMSの内容がそれほど高い緊急度ではなく、かつ受信者側が出られない場合は、留守録モードへ切り換える操作を行い、伝言を残してもらう。
（ｂ）予兆通知SMSの内容が高い緊急度で、かつ受信者側が出られない場合は、予兆通知SMSの内容で判断し、通話着信時に定型メッセージを選択する操作を行う事により、実際に話をせずに、返事を発信者側に伝える。
（ｃ）予兆通知SMSの内容が高い緊急度であれば、通話着信までに電話で話せる場所に移動しておき、しかる後に着信があった時に通話ボタンを押下する事により、通話を行う。
【００５７】
また、本実施携帯において、後述する本発明の第３の実施形態における通信端末５００が実施するような緊急情報の設定を行うようにしてもよい。
【００５８】
このような本発明の第１の実施形態における通信システム１００の送信端末１１０によれば、通信回線１３０を介して受信端末１２０との通話を行う送信端末１１０であって、通話を行う通話回線を確立する通話発呼を行う前に、通話発呼の予備的な通知を示す予兆通知を受信端末１２０に対して行う予兆通知部と、予兆通知から通話発呼を行うまでの時間を示す予兆時間を設定する予兆情報設定部１１８と、予兆通知後に経過した時間を監視し、予兆時間が経過したか否かを判定する制御部１１１と、制御部１１１によって予兆時間が経過したと判定された場合、通話発呼を行う通話発呼部とを有し、前記通信回線は通信回線１３０および通信回線１３０Ａを有し、予兆通知部が、通信回線１３０Ａを介してＳＭＳを利用することで予兆通知を行い、前記通話発呼部が、前記通信回線１３０を介して通話発呼を行う構成とすることで、発信者が着信者が着信通知を受ける際の状況を配慮した通話発信を行うことができ、さらに予兆通知および実際の通話発呼の通信回線として別の通信回線を使用し、予兆通知に利用するＳＭＳが端末間同士で使用できる特殊なプロトコルであるために、発信者による予兆通知から遅延することなく着信者側で予兆通知を受信することができる。
【００５９】
（第２の実施形態）
次に、本発明の第２の実施形態における通信システム３００について説明する。
図３は本発明の第２の実施形態における通信システム３００のブロック図である。通信システム３００は、送信端末３１０、受信端末３２０、通信回線３３０を有している。送信端末３１０は、制御部１１１、記憶部１１２、操作部１１３、表示部１１４、発光体１１５、通信処理部３１６、アンテナ１１６Ａ、音声処理部１１７、マイク１１７Ａ、スピーカ１１７Ｂ、および予兆情報設定部１１８を有する。また、受信端末３２０は、制御部１２１、記憶部１２２、操作部１２３、表示部１２４、発光体１２５、通信処理部３２６、アンテナ１２６Ａ、音声処理部１２７、マイク１２７Ａ、スピーカ１２７Ｂを有する。図３において、本発明の第１の実施形態における通信システム１００と同一の機能を有する構成部に関しては、同一の符号を付し、説明を省略する。
【００６０】
ここで、通信回線３３０は通信回線の一例である。送信端末３１０は送信端末の一例である。受信端末３２０は受信端末の一例である。通信処理部３１６の一部は予兆通知部の一例である。通信処理部３１６の一部は通話発呼部の一例である。
【００６１】
通信システム３００が本発明の第１の実施形態における１００と異なっている点は、通信処理部３１６と、送信端末１１０と受信端末１２０とを接続する通信回線３３０が１回線だけであり、予兆通知と通話発呼とを同じ通信回線を使用しているという点である。
【００６２】
本実施形態においては、送信端末１１０側で予兆時間や予兆情報を設定してＩＰパケットを利用して予兆通知し、この予兆時間だけタイミングをずらして通話発呼を行うことを想定している。本発明の第１の実施形態とは、ＳＭＳではなくＩＰパケットを利用して予兆通知を行う点が異なっている。
【００６３】
通信処理部３１６は、アンテナ１１６Ａおよび通信回線３３０を介して予兆通知の送信などの通信を送受信し、無線ＩＰ電話などの通信を行うための通信制御を行う。また、通信処理部３１６は、マイク１１７Ａを介して音声処理部１１７から入力した音声を音声データにデータ変換し、この音声データを基に受信装置１２０側へ送信するＩＰパケットを作成する。また、通信処理部３１６は、アンテナ１１６Ａおよび通信回線３３０を介して受信端末３２０から受信する音声データをスピーカ１１７にて出力可能な音声にデータ変換する。
【００６４】
また、予兆通知と通話発呼とを２つのＩＰパケットに分けて同一の通信回線３３０を介して別々に受信装置３２０へ送信する。すなわち、通信処理部３１６は通話発呼を行う第２のＩＰパケット（通話発呼ＩＰパケット）を送信する前に、予兆情報を含む第１のＩＰパケット（予兆通知ＩＰパケット）を送信することで予兆通知を行う。その後制御部１１１が予兆通知後の経過時間を監視し、予兆時間が経過したと制御部１１１が判断すると、通信処理部３１６は通話発呼ＩＰパケットを送信することで通話発呼を行う。
【００６５】
通信処理部３２６は、アンテナ１２６Ａを介して予兆通知ＩＰパケットや通話発呼ＩＰパケットなどのＩＰパケットを受信し、受信したＩＰパケットについて、音声データに関しては送信端末３２０でデータ変換する前の元の音声へ変換する。
【００６６】
通信回線３３０は、ＩＰパケットによる予兆通知およびＩＰパケットを使用したＩＰ電話による通話を行う通信回線であり、ネットワーク回線を想定している。通信回線３３０は、送信端末と受信端末とを接続している。
【００６７】
次に、通信システム３００の動作について説明する。
図４は本発明の第２の実施形態における通信システム３００の動作フロー図である。尚、発信者は送信端末３１０を所持し、着信者は受信端末３２０を所持しているものとする。
【００６８】
まず、発信者側において、予兆情報設定部１１８は予兆時間を含む予兆情報を設定し、通信処理部３１６はこの予兆情報を含む第１のＩＰパケット（予兆通知ＩＰパケット）を通信回線３３０を介して受信端末３２０へ送信する（ステップＳ４０１）。予兆情報には、発信者から着信者へ予兆通知時に知らせたいメッセージなどを含ませることができる。
【００６９】
次に、着信者側において、予兆通知ＩＰパケットを受信したと通信処理部３２６が認識すると、表示部１２４が予兆情報に含まれる情報を表示する（ステップＳ４０２）。また、表示とともに音声処理部１２７が着信音などの音を発するようにしてもよいし、発光体１２５が発光するようにしてもよい。
【００７０】
一方、発信者側においては、制御部１１１は予兆通知ＩＰパケット送信後予兆時間が経過したか否かを監視しており、制御部１１１が予兆時間経過したと判断すると、通信処理部３１６が実際の通話発呼を第２のパケット（通話発呼ＩＰパケット）へ含ませ、この通話発呼ＩＰパケットを通信回線３３０を介して行う（ステップＳ４０３）。
【００７１】
着信者側においては、この通話発呼ＩＰパケットを通信処理部３２６は通話着信として受信し（ステップＳ４０４）、操作部１２３は予兆通知ＩＰパケットの内容に応じた受話操作を行うことで（ステップＳ４０５）、通信処理部３２６によって通話用回線が通信回線３３０を介して確立され、発信者と着信者との間で通話を行うことが可能となる（ステップＳ４０６）。
予兆通知ＩＰパケットの内容に応じた受話操作の具体例として、
（ｄ）予兆通知ＩＰパケットの内容がそれほど高い緊急度ではなく、かつ受信者側が出られない場合は、留守録モードへ切り換える操作を行い、伝言を残してもらう。
（ｅ）予兆通知ＩＰパケットの内容が高い緊急度で、かつ受信者側が出られない場合は、予兆通知SMSの内容で判断し、通話着信時に定型メッセージを選択する操作を行う事により、実際に話をせずに、返事を発信者側に伝える。
（ｆ）予兆通知ＩＰパケットの内容が高い緊急度であれば、通話着信までに電話で話せる場所に移動しておき、しかる後に着信があった時に通話ボタンを押下する事により、通話を行う。
【００７２】
また、本実施携帯において、後述する本発明の第４の実施形態における通信端末７００が実施するような緊急情報の設定を行うようにしてもよい。
【００７３】
このような本発明の第２の実施形態における通信システム３００によれば、通信回線３３０を介して受信端末１２０との通話を行う送信端末１１０であって、通話を行う通話回線を確立する通話発呼を行う前に、通話発呼の予備的な通知を示す予兆通知を受信端末１２０に対して行う予兆通知部と、予兆通知から通話発呼を行うまでの時間を示す予兆時間を設定する予兆情報設定部１１８と、予兆通知後に経過した時間を監視し、予兆時間が経過したか否かを判定する制御部１１１と、制御部１１１によって予兆時間が経過したと判定された場合、通話発呼を行う通話発呼部とを有し、予兆通知部が、通信回線３３０を介してＩＰパケットを利用することで予兆通知を行う構成とすることで、発信者が着信者が着信通知を受ける際の状況を配慮した通話発信を行うことができ、さらに通信回線３３０としてネットワーク回線を使用することができ、予兆通知と通話発呼とを1つの通信回線で実施することができる。
【００７４】
（第３の実施形態）
次に、本発明の第３の実施形態における通信システム５００について説明する。
図５は本発明の第３の実施形態における通信システム５００のブロック図である。通信システム５００は、送信端末５１０、受信端末５２０、通信回線１３０、および通信回線１３０Ａを有する。送信端末５１０は、制御部５１１、記憶部１１２、操作部１１３、表示部１１４、発光体１１５、通信処理部１１６、アンテナ１１６Ａ、音声処理部１１７、マイク１１７Ａ、スピーカ１１７Ｂ、予兆情報設定部５１８、緊急情報設定部５１９を有する。また、受信端末５２０は、制御部５２１、記憶部５２２、操作部１２３、表示部５２４、発光体５２５、通信処理部１２６、アンテナ１２６Ａ、音声処理部５２７、マイク１２７Ａ、スピーカ１２７Ｂ、予兆完了情報設定部５２８を有する。図５において、本発明の第１の実施形態における通信システム１００と同一の機能を有する構成部に関しては、同一の符号を付し、説明を省略する。
【００７５】
ここで、通信回線１３０、１３０Ａは通信回線の一例である。送信端末５１０は送信端末の一例である。受信端末５２０は受信端末の一例である。通信システム５００は通信システムの一例である。通信処理部１１６の一部は予兆通知部、予兆完了情報受信部、通話発呼部の一例である。制御部５１１の一部は制御部の一例である。予兆完了情報設定部５２８は予兆時間設定部の一例である。通信処理部１２６の一部は予兆通知受信部、予兆完了情報送信部、通話回線確立部の一例である。表示部５２４は履歴提示部の一例である。発光体５２５は提示方法変更部の一例である。音声処理部５２７は提示方法変更部の一例である。
【００７６】
通信システム５００は、発信者側が着信者側へＳＭＳを利用して予兆通知を行った後、着信者側があらかじめ設定している予兆時間を発信者側へＳＭＳを利用して返答し、発信者側でその予兆時間が経過してから実際の通話発呼を予兆通知時に使用した通信回線と異なる通信回線を介して行っている。
【００７７】
制御部５１１は、基本的には制御部１１１と同様の機能を有するが、予兆通知と通話発呼との間に時間差を設けるために監視する予兆時間は、受信端末５２０側から送信される予兆完了情報に含まれている。つまり、通信処理部１１６が受信する後述する予兆完了情報に含まれる予兆時間に基づいて、制御部５１１は送信端末５１０が送信する予兆通知後に予兆時間の経過を監視し、予兆時間が経過したと判断すると、実際の通話発呼を行うように通信処理部１１６へ指示を行う。
【００７８】
予兆情報設定部５１８は、予兆情報の設定を行うが、予兆情報設定部１１８が行うような予兆時間の設定は実施しない。この予兆情報としては、単に通話発呼の予備的な通知としてフラグのような簡単なデータのみで構成してもよいし、緊急情報設定部５１９によって指定される緊急情報などを含めてもよい。
【００７９】
緊急情報設定部５１９は、通話発呼を行おうとしている通話がどのくらい緊急を要する内容の発信であるかを知らせる緊急情報を設定する。この緊急情報を予兆情報や通話発呼に含ませることで、予兆通知時に受信端末５２０側へ緊急情報を併せて通知することができる。予兆情報に含ませる緊急情報の設定方法は、例えば次の３つの方法などが考えられるが、この他の方法であってもよい。
【００８０】
（１）通信処理部１１６が予兆情報を受信端末５２０へ通知する際に、緊急情報設定部５１９が設定する緊急情報に緊急レベルの度合いを示す緊急度およびその内容を示す緊急内容を含ませ、緊急情報を予兆情報設定部５１８が設定する予兆情報の一部として受信端末５２０側へ通知する。
【００８１】
（２）通信処理部１１６が予兆情報を受信端末５２０へ通知する際に、操作部１１３によって通話キーを長押しすることにより、緊急度を「高」として緊急情報を設定し、緊急情報を予兆情報の一部として受信端末５２０側へ通知する。
【００８２】
（３）通信処理部１１６が予兆情報を受信端末５２０へ通知する際に、送信端末５１０が強く握られることにより、緊急度を「高」として緊急情報を設定し、緊急情報を予兆情報の一部として受信端末５２０側へ通知する。強く握られることは、図５では図示しない感圧センサもしくはスイッチを送信端末５１０の側面などに設けることにより圧力を検知し、制御部５１１によって強く握られているか否かを判定することで認識することができる。
【００８３】
また、通話発呼に含ませる緊急情報の設定方法は、例えば次の２つの方法が考えられるが、この他の方法であってもよい。
【００８４】
（４）通信処理部１１６が通話発呼情報を受信端末５２０へ通知する際に、操作部１１３により何らかのキーを押下するか、もしくは何らかのメニュー情報を選択することで緊急度を指定して緊急情報を設定し、緊急情報を通話発呼情報の一部として受信端末５２０側へ通知する。
【００８５】
（５）通信処理部１１６が通話発呼情報を受信端末５２０へ通知する際に、送信端末５１０が強く握られることにより、緊急度を「高」として緊急情報を設定し、緊急情報を通話発呼情報の一部として受信端末５２０側へ通知する。強く握られることは、たとえば上記（３）で示したように感圧センサもしくはスイッチによって認識することができる。
【００８６】
このように、緊急情報は予兆通知を行う際に予兆情報の一部として、もしくは実際の通話発呼を行う際に通話発呼情報の一部として含めることができる。
【００８７】
制御部５２１は、記憶部５２２、操作部１２３、表示部５２４、発光体５２５、通信処理部１２６、音声処理部５２７、予兆完了情報設定部５２８を制御する。記憶部５２２は、記憶部１２２が有する機能に加えて、操作部１２３があらかじめ設定した予兆時間を記憶する。表示部５２４は、表示部１２４が有する機能に加えて、着信履歴に予兆情報に含まれる緊急情報から必要な情報を含ませることができる。発光体５２５は、発光体１２５が有する機能に加えて、緊急情報に含まれる緊急度に応じてその後の通話発呼による着信時に発色する光の色を制御部５２１の指示により変えることができる。音声処理部５２７は、音声処理部５２５が有する機能に加えて、緊急情報に含まれる緊急度に応じてその後の通話発呼による着信時の着信音を変えることができる。
【００８８】
予兆完了情報設定部５２８は、通信処理部１２６が予兆通知を受信した際に、記憶部１２２に記憶されている予兆時間を制御部５２１を介して取得し、予兆時間を含む予兆完了情報を設定する。予兆完了情報には、予兆時間以外に例えば受信端末５２０で正常に予兆通知を受信したことを示す情報を含ませることができる。この予兆完了情報は、通信処理部１２６によって送信端末５１０側へ通知される。
【００８９】
次に、通信システム５００の動作について説明する。
図６は本発明の第２の実施形態における通信システム５００の動作フロー図である。尚、発信者は送信端末５１０を所持し、着信者は受信端末５２０を所持しているものとする。
【００９０】
まず、発信者側において、予兆情報設定部５１８は予兆情報を設定し、通信処理部１１６はこの予兆情報をＳＭＳを使用することで予兆通知ＳＭＳとして通信回線１３０Ａを介して着信者側へ送信する（ステップＳ６０１）。予兆情報には、緊急情報設定部５１９によって設定された緊急情報を含めることができる。予兆情報に含める場合の緊急情報の設定方法は、先に示したような（１）〜（３）の方法が例として考えられる。
【００９１】
次に、着信者側において、通信処理部１２６が予兆通知ＳＭＳを受信し、着信者へ予兆通知があったことを知らせる（ステップＳ６０２）。予兆通知を知らせる方法としては、例えば表示部５２４が予兆通知ＳＭＳに含まれる情報を表示したり、音声処理部５２７が先に示したような特殊な音や着信音などの音を発するようにしたり、発光体５２５は制御部５２１の指示により端末全体を発光するようにしたりすることが考えられる。
【００９２】
通信処理部１２６が予兆通知ＳＭＳを受信すると、予兆完了情報設定部５２８はあらかじめ着信者側で設定しておいた予兆時間を含めて予兆完了情報を設定し、通信処理部１２６が予兆完了情報をＳＭＳを使用することで予兆完了ＳＭＳとして通信回線１３０Ａを介して発信者側へ送信する（ステップＳ６０３）。
【００９３】
発信者側において、予兆完了ＳＭＳを通信処理部１１６が受信すると、制御部５１１は受信した予兆完了情報から着信者側が設定した予兆時間を取得し、予兆通知ＳＭＳを送信してから予兆時間が経過するまで実際の通話発呼を待機し、制御部５１１が予兆時間経過したと判断すると、通信処理部１１６が通信回線１３０を介して実際の通話発呼を行う（ステップＳ６０４）。この通話発呼を行う際に、通話発呼情報として、緊急情報設定部５１９によって設定された緊急情報を含めることができる。通話発呼情報に含める場合の緊急情報の設定方法は、先に示したような（４）〜（５）の方法が例として考えられる。
【００９４】
一方、着信者側において、予兆通知ＳＭＳ内に緊急情報が含まれていた場合には、予兆完了ＳＭＳを発信者側へ通知した後通信処理部１２６が実際の通話発呼を受信する前に、緊急度に応じて実際の通話発呼を受信した場合の着信通知方法を変更する（ステップＳ６０５）。具体的には、音声処理部５２７が発する着信音などの音を緊急度に応じて自動的に変更したり、発光体５２５によって発行する色や発行方法を緊急度に応じて自動的に変更したりすることが考えられる。
【００９５】
着信者側において実際の通話発呼を通信処理部１２６が受信すると、受信端末５２０はステップＳ６０５において示したような方法によって、緊急度に応じた通話着信通知を行う（ステップＳ６０６）。また、発信者側が通話発呼時に緊急情報を含めた通話発呼情報を送信した場合には、ステップＳ６０５における着信通知方法の変更を通信処理部１２６が通話発呼を受信した時点から行うようにする。また、緊急情報の内容を表示部５２４が表示するようにしてもよい。
【００９６】
そして、操作部１２３は緊急情報の内容に応じた受話操作を行うことで（ステップＳ６０７）、通信処理部１２６によって通話用回線が通信回線１３０を介して確立され、発信者と受信者との間で通話を行うことが可能となる（ステップＳ６０８）。
緊急情報の内容に応じた受話操作の具体例として、
（ｇ）緊急情報の内容がそれほど高い緊急度ではなく、かつ受信者側が出られない場合は、留守録モードへ切り換える操作を行い、伝言を残してもらう。
（ｈ）緊急情報の内容が高い緊急度で、かつ受信者側が出られない場合は、予兆通知SMSの内容で判断し、通話着信時に定型メッセージを選択する操作を行う事により、実際に話をせずに、返事を発信者側に伝える。
（ｉ）緊急情報の内容が高い緊急度であれば、通話着信までに電話で話せる場所に移動しておき、しかる後に着信があった時に通話ボタンを押下する事により、通話を行う。
【００９７】
このような本発明の第３の実施形態における通信システム５００によれば、通信回線１３０を介して送信端末５１０と受信端末５２０との間で通話を行う通信システム５００であって、送信端末は５１０、通話を行う通話回線を確立する通話発呼を行う前に、通話発呼の予備的な通知を示す予兆通知を受信端末５２０に対して行う予兆通知部と、予兆通知から通話発呼を行うまでの時間を示す予兆時間を含む予兆完了情報を受信端末５２０から受信する予兆完了情報受信部と、予兆通知後に経過した時間を監視し、前記予兆時間が経過したか否かを判定する制御部５１１と、制御部５１１によって予兆時間が経過したと判定された場合、通話発呼を行う通話発呼部とを有し、受信端末５２０は、予兆通知を送信端末５１０から受信する予兆通知受信部と、予兆時間を設定する予兆完了情報設定部５２８と、予兆通知受信部によって予兆通知を受信した後、予兆完了情報を送信端末５１０へ送信する予兆完了情報送信部と、通話発呼を送信端末５１０から着呼し、通話回線を確立する通話回線確立部とを有し、通信回線は通信回線１３０および通信回線１３０Ａを有し、予兆通知部が、通信回線１３０Ａを介してＳＭＳを利用することで予兆通知を行い、予兆完了情報送信部が、通信回線１３０Ａを介してＳＭＳを利用することで予兆完了情報を送信し、通話発呼部が、通信回線１３０を介して通話発呼を行い、通話回線確立部が、通信回線３３０を介して前記通話発呼を着呼し、前記通信回線１３０を介して通話回線を確立する構成とすることで、発信者が着信者が着信通知を受ける際の状況を配慮した通話発信を行うことができ、特に、予兆時間を着信者自身が設定することが可能であるため、着信者の都合を最大限に取り入れた通話着信を実現することができ、予兆通知と実際の通話発呼との通信回線として別の通信回線を使用し、予兆通知に利用するＳＭＳが端末間同士で使用できる特殊なプロトコルであるために、発信者による予兆通知から遅延することなく着信者側で予兆通知を受信することができる。
【００９８】
（第４の実施形態）
次に、本発明の第４の実施形態における通信システム７００について説明する。
図７は本発明の第４の実施形態における通信システム７００のブロック図である。通信システム７００は、送信端末７１０、受信端末７２０、および通信回線３３０を有する。送信端末７１０は、制御部５１１、記憶部１１２、操作部１１３、表示部１１４、発光体１１５、通信処理部７１６、アンテナ１１６Ａ、音声処理部１１７、マイク１１７Ａ、スピーカ１１７Ｂ、予兆情報設定部５１８、緊急情報設定部５１９を有する。また、受信端末７２０は、制御部５２１、記憶部５２２、操作部１２３、表示部５２４、発光体５２５、通信処理部７２６、アンテナ１２６Ａ、音声処理部５２７、マイク１２７Ａ、スピーカ１２７Ｂ、予兆完了情報設定部５２８を有する。図７において、本発明の第１〜第３の実施形態における通信システム１００、３００、および５００と同一の機能を有する構成部に関しては、同一の符号を付し、説明を省略する。
【００９９】
ここで、通信回線３３０は通信回線の一例である。送信端末７１０は送信端末の一例である。受信端末７２０は受信端末の一例である。通信システム７００は通信システムの一例である。通信処理部７１６の一部は、予兆通知部、予兆完了情報受信部、通話発呼部の一例である。通信処理部７２６の一部は予兆通知受信部、予兆完了情報送信部、通話回線確立部の一例である。
【０１００】
通信システム７００は、発信者側が着信者側へＩＰパケットを利用して予兆通知を行った後、着信者側があらかじめ設定している予兆時間を発信者側へＩＰパケットを利用して返答し、発信者側でその予兆時間が経過してから実際の通話発呼を予兆通知時に使用した通信回線と同一の通信回線を介して行っている。
【０１０１】
通信処理部７１６は、アンテナ１１６Ａおよび通信回線３３０を介してＩＰパケットを利用した予兆通知の送信や予兆完了通知の受信などの通信を送受信し、無線ＩＰ電話などの通信を行うための通信制御を行う。また、通信処理部７１６は、制御部５１１の指示によりマイク１１７Ａを介して音声処理部１１７から入力した音声を音声データに変換し、この音声データを基に受信装置７２０側へ送信するＩＰパケットを作成する。また、通信処理部７１６は、アンテナ１１６Ａおよび通信回線３３０を介して受信端末７２０から受信する音声データをスピーカ１１７にて出力可能な音声に変換する。また、通信処理部７１６は受信端末７２０側から送信される予兆完了通知の受信を行うと、予兆完了情報に含まれる予兆時間を記憶部１１２が一時的に記憶する。
【０１０２】
また、予兆通知と通話発呼とを２つのＩＰパケットに分けて同一の通信回線３３０を介して別々に受信装置７２０へ送信する。すなわち、通信処理部７１６は通話発呼を行う第３のＩＰパケット（通話発呼ＩＰパケット）を送信する前に、予兆情報を含む第１のＩＰパケット（予兆通知ＩＰパケット）を送信することで予兆通知を行う。その後制御部５１１が予兆通知後の経過時間を監視し、予兆時間が経過したと制御部５１１が判断すると、通信処理部３１６は通話発呼ＩＰパケットを送信することで通話発呼を行う。
【０１０３】
通信処理部７２６は、アンテナ１２６Ａを介して予兆通知ＩＰパケット、通話発呼ＩＰパケットなどのＩＰパケットを受信する。受信したＩＰパケットについて、音声データに関しては送信端末７１０でデータ変換する前の元の音声へ変換する。さらに、予兆完了情報設定部５２８によって設定された予兆完了情報を第２のＩＰパケット（予兆完了ＩＰパケット）に含ませて送信端末７１０側へ送信する。このＩＰパケットを送信することで、予兆完了通知を行う。
【０１０４】
次に、通信システム７００の動作について説明する。
図８は本発明の第４の実施形態における通信システム７００の動作フロー図である。尚、発信者は送信端末７１０を所持し、着信者は受信端末７２０を所持しているものとする。
【０１０５】
まず、発信者側において、予兆情報設定部５１８は予兆情報を設定し、通信処理部７１６はこの予兆情報を含む第１のＩＰパケット（予兆通知ＩＰパケット）を作成し、予兆通知ＩＰパケットを通信回線３３０を介して着信者側へ送信する（ステップＳ８０１）。予兆情報には、緊急情報設定部５１９によって設定された緊急情報を含めることができる。予兆情報に含める場合の緊急情報の設定方法は、先に示したような（１）〜（３）の方法が例として考えられる。
【０１０６】
次に、着信者側において、通信処理部７２６が予兆通知ＩＰパケットを受信し、着信者へ予兆通知があったことを知らせる（ステップＳ８０２）。予兆通知を知らせる方法としては、例えば表示部５２４が予兆通知ＩＰパケットに含まれる情報を表示したり、音声処理部５２７が先に示したような特殊な音や着信音などの音を発するようにしたり、発光体５２５は制御部５２１の指示により端末全体を発光するようにしたりすることが考えられる。
【０１０７】
通信処理部７２６が予兆通知ＩＰパケットを受信すると、予兆完了情報設定部５２８はあらかじめ着信者側で設定しておいた予兆時間を含めて予兆完了情報を設定し、通信処理部７２６が予兆完了情報を含めて第２のＩＰパケット（予兆完了ＩＰパケット）を作成し、この予兆完了ＩＰパケットを通信回線３３０を介して発信者側へ送信する（ステップＳ８０３）。
【０１０８】
発信者側において、予兆完了ＩＰパケットを通信処理部７１６が受信すると、制御部５１１は受信した予兆完了ＩＰパケットに含まれる予兆完了情報から着信者側が設定した予兆時間を取得し、予兆通知ＩＰパケットを送信してから予兆時間が経過するまで実際の通話発呼を待機し、制御部５１１が予兆時間経過したと判断すると、通信処理部７１６が実際の通話発呼を第３のＩＰパケット（通話発呼ＩＰパケット）に含ませて、通信回線３３０を介して通話発呼ＩＰパケットを送信する（ステップＳ８０４）。この通話発呼を行う際に、通話発呼情報として、緊急情報設定部５１９によって設定された緊急情報を含めることができる。通話発呼情報に含める場合の緊急情報の設定方法は、先に示したような（４）〜（５）の方法が例として考えられる。
【０１０９】
一方、着信者側において、予兆通知ＩＰパケット内に緊急情報が含まれていた場合には、予兆完了ＩＰパケットを発信者側へ通知した後通信処理部７２６が実際の通話発呼を受信する前に、緊急度に応じて実際の通話発呼を受信した場合の着信通知方法を変更する（ステップＳ８０５）。具体的には、音声処理部５２７が発する着信音などの音を緊急度に応じて自動的に変更したり、発光体５２５によって発行する色や発行方法を緊急度に応じて自動的に変更したりすることが考えられる。
【０１１０】
着信者側において通話発呼ＩＰパケットを通信処理部７２６が受信すると、受信端末７２０はステップＳ８０５において示したような方法によって、緊急度に応じた通話着信通知を行う（ステップＳ８０６）。また、発信者側が通話発呼時に緊急情報を含めた通話発呼情報を送信した場合には、ステップＳ８０５における着信通知方法の変更を通信処理部７２６が通話発呼を受信した時点から行うようにする。また、緊急情報の内容を表示部５２４が表示するようにしてもよい。
【０１１１】
そして、操作部１２３は緊急情報の内容に応じた受話操作を行うことで（ステップＳ８０７）、通信処理部７２６によって通話用回線が通信回線３３０を介して確立され、発信者と受信者との間で通話を行うことが可能となる（ステップＳ８０８）。
尚、緊急情報の内容に応じた受話操作の具体例として、先に示したような（ｇ）〜（ｉ）のような操作がある。
【０１１２】
このような本発明の第４の実施形態における通信システム７００によれば、通信回線３３０を介して送信端末５１０と受信端末５２０との間で通話を行う通信システム５００であって、送信端末は５１０、通話を行う通話回線を確立する通話発呼を行う前に、通話発呼の予備的な通知を示す予兆通知を受信端末５２０に対して行う予兆通知部と、予兆通知から通話発呼を行うまでの時間を示す予兆時間を含む予兆完了情報を受信端末５２０から受信する予兆完了情報受信部と、予兆通知後に経過した時間を監視し、前記予兆時間が経過したか否かを判定する制御部５１１と、制御部５１１によって予兆時間が経過したと判定された場合、通話発呼を行う通話発呼部とを有し、受信端末５２０は、予兆通知を送信端末５１０から受信する予兆通知受信部と、予兆時間を設定する予兆完了情報設定部５２８と、予兆通知受信部によって予兆通知を受信した後、予兆完了情報を送信端末５１０へ送信する予兆完了情報送信部と、通話発呼を送信端末５１０から着呼し、通話回線を確立する通話回線確立部とを有し、予兆通知部が、通信回線３３０を介してＩＰパケットを利用することで予兆通知を行い、予兆完了情報送信部が、通信回線３３０を介してＩＰパケットを利用することで予兆完了情報を送信する構成とすることで、発信者が着信者が着信通知を受ける際の状況を配慮した通話発信を行うことができ、特に、予兆時間を着信者自身が設定することが可能であるため、着信者の都合を最大限に取り入れた通話着信を実現することができ、通信回線３３０としてネットワーク回線を使用することができ、予兆通知と通話発呼とを1つの通信回線で実施することができる。
【産業上の利用可能性】
【０１１３】
本発明は、発信者が着信者が着信通知を受ける際の状況を配慮した通話発信を行うことができる送信端末、通信システム等に有用である。
【図面の簡単な説明】
【０１１４】
【図１】本発明の第１の実施携帯における通信システムのブロック図
【図２】本発明の第１の実施形態における通信システムの動作フロー図
【図３】本発明の第２の実施携帯における通信システムのブロック図
【図４】本発明の第２の実施形態における通信システムの動作フロー図
【図５】本発明の第３の実施携帯における通信システムのブロック図
【図６】本発明の第３の実施形態における通信システムの動作フロー図
【図７】本発明の第４の実施携帯における通信システムのブロック図
【図８】本発明の第４の実施形態における通信システムの動作フロー図
【符号の説明】
【０１１５】
１００  通信システム
１１０  送信端末
１１１  制御部
１１２  記憶部
１１３  操作部
１１４  表示部
１１５  発光体
１１６  通信処理部
１１６Ａ  アンテナ
１１７  音声処理部
１１７Ａ  マイク
１１７Ｂ  スピーカ
１１８  予兆情報設定部
１２０  受信端末
１２１  制御部
１２２  記憶部
１２３  操作部
１２４  表示部
１２５  発光体
１２６  通信処理部
１２６Ａ  アンテナ
１２７  音声処理部
１２７Ａ  マイク
１２７Ｂ  スピーカ
３００  通信システム
３１０  送信端末
３１６  通信処理部
３２０  受信端末
３２６  通信処理部
５００  通信システム
５１０  送信端末
５１１  制御部
５１８  予兆情報設定部
５１９  緊急情報設定部
５２０  受信端末
５２１  制御部
５２２  記憶部
５２４  表示部
５２５  発光体
５２７  音声処理部
５２８  予兆完了情報設定部
７００  通信システム
７１０  送信端末
７１６  通信処理部
７２０  受信端末
７２６  通信処理部
【図１】
2007281606.tif 000003
【図２】
2007281606.tif 000004
【図３】
2007281606.tif 000005
【図４】
2007281606.tif 000006
【図５】
2007281606.tif 000007
【図６】
2007281606.tif 000008
【図７】
2007281606.tif 000009
【図８】
2007281606.tif 000010